(57)【要約】【課題】  地震時の振動によるボンベとボンベ保持装置の壁や柱等の基体との衝突や固定用鎖の引っ張りによるボンベへの衝撃力を低減させることが可能なボンベ受けを提供する。【解決手段】立設状態のボンベを保持する円弧状の溝を有するボンベ受け具であって、該円弧状の溝深さがボンベ胴部直径の３分の１以上２分の１以下であり、かつ該溝内面の直径がボンベ胴部の直径より１０ｍｍ以下大きいことを特徴としている。【選択図】        図２
2005337411.tif 000002
【特許請求の範囲】
【請求項１】
立設状態のボンベを保持する円弧状の溝を有するボンベ受け具であって、該円弧状の溝深さがボンベ胴部直径の３分の１以上２分の１以下であることを特徴とするボンベ受け具。
【請求項２】
請求項１記載のボンベ受け具であって、該円弧状の溝深さがボンベ胴部の直径の３分の１以上２分の１以下でかつ該溝内面の直径がボンベ胴部の直径より１０ｍｍ以下の範囲で大きいことを特徴とするボンベ受け具。
【請求項３】
立設状態のボンベを背面で保持するためのボンベ受け具及び前面でボンベを固定する固定鎖を備えたボンベ保持装置において、前記ボンベ受け具が、請求項１もしくは請求項２記載のボンベ受け具であることを特徴とするボンベ保持装置。
【発明の詳細な説明】
【技術分野】
【０００１】
本発明は、一般家庭向けＬＰガスや窒素、ヘリウム等の高圧ガス用ボンベが地震などの揺れによる転倒を防止することができるボンベ受け具及び該受け具を備えたボンベ保持装置に関する。
【背景技術】
【０００２】
ボンベにガスを充填する設備や消費する設備においては、ボンベ設置場所でボンベが転倒することがないように、ボンベ固定台に垂直に取り付けられた柱と柱との間に設けたボンベ後方から固定するためのアール状のフレームとボンベ前面から固定するための鎖を取り付けてボンベを設置場所で立設状態を保持させている。（例えば、特許公報１参照。）これ以外のボンベ保持装置としては、ボンベを枠体に固定あるいは枠内に固定収納するタイプがあり、例えば枠体の前面にボンベを立設あるいは枠内にボンベを収納し、ボンベ固定用鎖で枠体に固定する装置やカバーや扉を設けてボンベの転倒を防止する装置がある。
【０００３】
【特許文献１】特開２０００−２５７７９８号
【発明の開示】
【発明が解決しようとする課題】
【０００４】
ところが、地震などによりボンベが振動した場合、従来のボンベ保持装置では、ボンベが大きく揺れるために前記ボンベ保持装置の枠体の壁面あるいは柱とボンベとが衝突してボンベ保持装置の壁や柱が壊れたり、固定用鎖が強く引っ張られて鎖が切れてしまいボンベの転倒防止というボンベ保持装置本来の機能を失う可能性があった。このため地震等によるボンベの振動で発生するボンベ保持装置や固定用鎖への衝撃力を低減させることが望まれている。
【０００５】
本発明は、上記従来技術の問題点に鑑み、地震時の振動によるボンベとボンベ保持装置の壁や柱との衝突や鎖の引っ張りによるボンベへの衝撃力を低減させることができるボンベ受け具及びボンベ保持装置を提供することを目的とする。
【課題を解決するための手段】
【０００６】
かかる課題を解決するため、
請求項１の発明は、立設状態のボンベを保持する円弧状の溝を有するボンベ受け具であって、該円弧状の溝深さがボンベ胴部直径の３分の１以上２分の１以下であることを特徴とするボンベ受け具である。
【０００７】
請求項２にかかる発明は、該円弧状の溝深さがボンベ胴部の直径の３分の１以上２分の１以下でかつ該溝内面の直径がボンベ胴部の直径より１０ｍｍ以下の範囲で大きいことを特徴とするボンベ受け具である。
【０００８】
請求項３にかかる発明は、
立設状態のボンベを背面で保持するためのボンベ受け具及び前面でボンベを固定する固定鎖を備えたボンベ保持装置であって前記ボンベ受け具が、請求項１もしくは請求項２記載のボンベ受け具であることを特徴とするボンベ保持装置である。  
【発明の効果】
【０００９】
本発明の立設状態のボンベを保持する円弧状の溝を有するボンベ受け具は、該円弧状の溝深さがボンベ胴部直径の３分の１以上２分の１以下、さらには該溝内面の直径をボンベ胴部の直径より１０ｍｍ以下の範囲で大きくしたので、地震が発生してもボンベが大きく揺れることがなくなる。従って本発明の受け具を備えたボンベ保持装置は、ボンベの揺れを抑えることができるのでボンベの振動によって該装置の壁、柱、アングル等の基体に与える衝撃力を低減できる。これによりボンベ保持装置の基体が壊れるあるいはボンベ固定用鎖が切れる等の不都合を解消することができる。
【発明を実施するための最良の形態】
【００１０】
以下に、本発明を実施するための最良の形態を、図面を参照しながら説明する。なお、本発明は、これらによって限定されるものではない。
【００１１】
図１は、本発明のボンベ保持装置の一態様であるボンベスタンドを示す図である。このボンベスタンド１は直方体状の枠体５、ボンベ２を背面で支持する枠体に配されているアングル３と該アングル３に配されたボンベ胴部の略半周を受け止めるボンベ受け具７、ボンベを前面で保持するボンベ転倒防止用鎖４とから概略構成されている。
【００１２】
そして、ボンベ２は、ボンベ２を前記ボンベ受け具７に嵌めるように立てかけた後、ボンベ転倒防止用鎖４でボンベ２を囲繞し、鎖４の端部をフック等に係止することによって、ボンベ保持装置１に立設状態で取り付けられる。
【００１３】
図２にボンベ受け具７、図３にボンベ受け具７を前記アングル３にボルトで固設した図を示す。
ボンベ受け具７は、溝内面が円弧状であり、この溝の深さがボンベ胴部の直径の３分の１以上２分の１以下となるように形成されている。さらに円弧状の溝内面の直径はボンベ胴部の直径よりも１０ｍｍ以下の範囲で大きいボンベ受け具がより好ましい。
【００１４】
このようなボンベ受け具７をボンベ保持装置１に採用することによって地震等によるボンベの大きな揺れが抑制できるのでボンベ保持装置１の壁面や柱等の基体とボンベとの衝突やボンベの揺れによる転倒防止用鎖の切断等を防止することが可能となる。
【実施例】
【００１５】
以下、実施例により、本発明をさらに詳しく説明する。本発明は、下記実施例に何ら制限されるものではない。
【００１６】
図４に示した加振装置９を用いて、図２のボンベ受け具７の有効性を実験した。
図４の加振装置９には安全のためにボンベ保持装置１の外周に防護柵８を設けた。この加振装置９に図１のボンベ保持装置１とボンベ２を乗せ、ボンベ保持装置１の正面に対して平行方向の加振を行なった。
【００１７】
実験内容を以下に示す。
ボンベは、胴部の直径が２３２ｍｍのものを使用し、該ボンベ内に水を入れて質量を１００ｋｇとした。
本実験では、次の２種類のボンベ受け具を使用した。
（１）    
ボンベ受け具の内面の円弧状の溝の深さが、ボンベ胴部の直径２３２ｍｍに対して３分の１の８０ｍｍ、溝内面の直径がボンベ胴部の直径よりも８ｍｍ大きい１２０ｍｍとしたボンベ受け具。
（２）    
ボンベ受け具の円弧状の溝深さが、ボンベ胴部の直径２３２ｍｍに対して２分の１の１１５ｍｍ、溝内面の直径が（１）と同じ１２０ｍｍのボンベ受け具。
【００１８】
加振条件は、加振周波数を２．７Ｈｚに固定して前記２種類のボンベ受け具を使用した本発明のボンベ保持装置、受け具を使用しないボンベ保持装置それぞれについて、加速度８０、２５０、４００、６００、８００、９８０ｇａｌに随時上げて荷重計６によって衝撃力の測定を行なった。
【００１９】
図５に上記条件で行なった加振実験結果を示す。
容器受け具が無い場合は、加速度が大きくなるに従い衝撃荷重が大幅に大きくなるが、前記（１）、（２）のボンベ受け具を備えたボンベ保持装置の場合、衝撃荷重は充分小さくなっていることがわかる。
【００２０】
図６は、図５の実験結果をもとに本発明のボンベ受け具の衝撃力の低減率を示したものである。
図６から、本発明のボンベ受け具を用いたボンベ保持装置は、加速度が２５０ｇａｌ以上になるとその衝撃力はボンベ受け具の無いボンベ保持装置と比較して４０％以上低減され、６００ｇａｌ以上になると６０％以上低減されていることがわかる。
なお、ボンベ受け具の円弧状の溝深さがボンベ胴部の直径の３分の１のものと２分の１のものとを比較すると同程度の効果が得られている。
【００２１】
以上の実験結果から、本発明によれば地震等によりボンベが振動した場合でもボンベが大きく揺れることを抑制することができるのでボンベ保持装置の壁面や柱等の基体との衝突やボンベ転倒防止用の鎖が引っ張られることによるボンベへの衝撃力を低減させることが可能となる。
【図面の簡単な説明】
【００２２】
【図１】本発明のボンベ保持装置の一例を示す図である。
【図２】本発明のボンベ受け具を示す図である。
【図３】図２のボンベ受け具をボンベ保持装置のアングルに取り付けた図である。
【図４】加振装置を示す図である。
【図５】実施例における加速度と衝撃荷重との関係を示す図である。
【図６】実施例における加速度と衝撃力低減率との関係を示す図である。
【図１】
2005337411.tif 000003
【図２】
2005337411.tif 000004
【図３】
2005337411.tif 000005
【図４】
2005337411.tif 000006
【図５】
2005337411.tif 000007
【図６】
2005337411.tif 000008